(57)【要約】【課題】グリル運転情報を使用者に認識し易いように報知し得るグリルを提供する。【解決手段】引出部Ｈが、前部開口部８を扉７０にて閉じる状態でグリル庫内に収納される収納位置とグリル庫の前方に引き出された引出位置とに出退移動自在に設けられたグリルＧであって、扉７０に、外部から光を入射可能な入光部１６ｉと、その入光部１６ｉから入射した光を放射する放射面１６ｒとを備える導光部材１６が設けられ、入光部１６ｉが、引出部Ｈが収納位置に位置する状態で、前部開口部８の内面部に近接し、且つ、引出部Ｈの出退移動方向に交差する方向から光が入射可能なように、導光部材１６に備えられ、放射面１６ｒが、前方側から視認可能なように、導光部材１６に備えられ、引出部Ｈが収納位置に位置する状態で入光部１６ｉに光を入射可能なように、発光手段１７が前部開口部８に設けられ、その発光手段１７の作動を制御する発光制御手段が設けられている。【選択図】図４
2012215327.tif 000002
【特許請求の範囲】
【請求項１】
グリル庫と、取手を有する扉を有して被加熱物を載置自在な引出部とを備え、その引出部が、前記グリル庫の前部開口部を前記扉にて閉じる状態でそのグリル庫内に収納される収納位置と前記グリル庫の前方に引き出された引出位置とに出退移動自在に設けられたグリルであって、
前記扉に、外部から光を入射可能な入光部と、その入光部から入射した光を放射する放射面とを備える導光部材が設けられ、
前記入光部が、前記引出部が前記収納位置に位置する状態で、前記前部開口部の内面部に近接し、且つ、前記引出部の出退移動方向に交差する方向から光が入射可能なように、前記導光部材に備えられ、
前記放射面が、前方側から視認可能なように、前記導光部材に備えられ、
前記引出部が前記収納位置に位置する状態で前記入光部に光を入射可能なように、発光手段が前記前部開口部に設けられ、
その発光手段の作動を制御する発光制御手段が設けられているグリル。
【請求項２】
前記取手が、細長状に構成され、
その細長状の取手が、その長手方向を横向きにした姿勢で、前記扉にその横幅方向の全長又は略全長にわたるように備えられ、
前記導光部材が、前記取手の横幅方向の略全長にわたって前記放射面を露出させた形態で、前記取手に一体的に組み付けられ、
前記入光部が、前記導光部材の長手方向の両端に振り分けて一対備えられ、
前記発光手段が、前記一対の入光部に対応して一対設けられている請求項１に記載のグリル。
【請求項３】
前記引出部に載置されている被加熱物を加熱する加熱手段の作動を制御する加熱制御手段が、設けられ、
その加熱制御手段が、前記加熱手段による被加熱物の加熱を終了すべきタイミングになると前記加熱手段の加熱作動を停止する自動モードを実行可能に構成され、
前記加熱制御手段に前記自動モードの実行を指令する指令手段が設けられ、
前記発光手段が、発光色を互いに異なる第１発光色と第２発光色とに切り換え自在に構成され、
前記発光制御手段が、前記指令手段により前記自動モードが指令されている状態において、前記加熱制御手段が前記加熱手段の加熱作動を開始する前では、前記発光手段を前記第１発光色で発光させ、前記加熱制御手段が前記加熱手段の加熱作動を開始した後では、前記発光手段を前記第２発光色で発光させるように構成されている請求項１又は２に記載のグリル。
【請求項４】
前記加熱手段による被加熱物の加熱における異常である加熱異常が発生したことを検知する加熱異常検知手段が設けられ、
前記発光制御手段が、前記加熱異常検知手段により加熱異常が検知されることなく前記自動モードが終了したときは、前記発光手段を前記第１発光色で点滅させ、前記自動モードの実行中に前記加熱異常検知手段により加熱異常が検知されたときは、前記発光手段を前記第２発光色で点滅させるように構成されている請求項３に記載のグリル。
【請求項５】
前記引出部が前記収納位置に位置しているか否かを検知する扉開閉検知手段が設けられ、
前記発光制御手段が、前記扉開閉検知手段により前記引出部が前記収納位置に位置していないことが検知されると、前記発光手段を消灯させるように構成されている１〜４のいずれか１項に記載のグリル。
【発明の詳細な説明】
【技術分野】
【０００１】
本発明は、グリル庫と、取手を有する扉を有して被加熱物を載置自在な引出部とを備え、その引出部が、前記グリル庫の前部開口部を前記扉にて閉じる状態でそのグリル庫内に収納される収納位置と前記グリル庫の前方に引き出された引出位置とに出退移動自在に設けられたグリルに関する。
【背景技術】
【０００２】
かかるグリルは、被加熱物を引出部に載置した状態でその引出部をグリル庫内に収納して、被加熱物を加熱調理するものである。
つまり、扉の取手を把持して引出部をグリル庫内に押し込んでグリル庫内に収納すると、グリル庫の前部開口部が扉にて閉じられた状態となり、そのように扉にて閉じられたグリル庫内で被加熱物を加熱調理することになる。又、加熱調理が終了すると、扉の取手を把持して引出部をグリル庫から引き出して、被加熱物を取り出すことになる。
【０００３】
このようなグリルでは、引出部に載置された被加熱物を加熱する加熱手段が加熱作動していることや、その加熱手段による被加熱物の加熱において加熱異常が発生したこと等のグリル運転情報を使用者に報知する必要がある。
従来では、加熱手段による加熱作動の開始や停止等の操作用としてグリル本体に設けられている手動操作式のグリル操作部に、ＬＥＤランプが設けられて、このＬＥＤランプを点灯させることにより、グリル運転情報を使用者に報知するように構成されていた（例えば、特許文献１参照。）。
【先行技術文献】
【特許文献】
【０００４】
【特許文献１】特開２０００−１９３２４８号公報
【発明の概要】
【発明が解決しようとする課題】
【０００５】
しかしながら、従来のグリルでは、グリル運転情報はグリル操作部に設けられたＬＥＤランプの点灯により報知するものであるため、使用者に視認させる部分が小さく、使用者にとってグリル運転情報を認識し難いものであった。
又、このようなグリルは、トッププレートに載置された加熱用容器を加熱するコンロ用加熱手段が設けられたコンロに組み込まれる場合がある。このような場合、コンロの前面等には、グリル操作部に加えて、コンロ用加熱手段の操作用としてコンロ操作部も複数設けられ、これら複数のコンロ操作部にも、コンロ運転情報報知用としてＬＥＤランプが設けられることになるので、グリル操作部とコンロ操作部との複数の操作部のうちのグリル操作部に設けられたＬＥＤランプが点灯しても、使用者にとっては、グリル操作部に設けられたＬＥＤランプの点灯がグリルに関連するものであるかが判別し難く、使用者にとってグリル運転情報を認識し難いものであった。
【０００６】
本発明は、かかる実情に鑑みてなされたものであり、その目的は、グリル運転情報を使用者に認識し易いように報知し得るグリルを提供することにある。
【課題を解決するための手段】
【０００７】
本発明のグリルは、グリル庫と、取手を有する扉を有して被加熱物を載置自在な引出部とを備え、その引出部が、前記グリル庫の前部開口部を前記扉にて閉じる状態でそのグリル庫内に収納される収納位置と前記グリル庫の前方に引き出された引出位置とに出退移動自在に設けられたものであって、
第１特徴構成は、前記扉に、外部から光を入射可能な入光部と、その入光部から入射した光を放射する放射面とを備える導光部材が設けられ、
前記入光部が、前記引出部が前記収納位置に位置する状態で、前記前部開口部の内面部に近接し、且つ、前記引出部の出退移動方向に交差する方向から光が入射可能なように、前記導光部材に備えられ、
前記放射面が、前方側から視認可能なように、前記導光部材に備えられ、
前記引出部が前記収納位置に位置する状態で前記入光部に光を入射可能なように、発光手段が前記前部開口部に設けられ、
その発光手段の作動を制御する発光制御手段が設けられている点にある。
【０００８】
即ち、引出部が収納位置に収納されている状態で、発光制御手段により発光手段が発光作動されると、その発光手段からの光が導光部材の入光部に入射し、その入射した光が導光部材内を進行して放射面から放射されるので、その放射面が光ることになる。
このような放射面は、入光部から入射した光を全面にわたって放射させることができる条件で広くすることが可能であり、そして、このような放射面を備えた導光部材が、放射面が前方側から視認可能なようにグリルの扉に設けられているので、その放射面が光ることにより報知されるグリル運転情報は、使用者にとって認識し易いものである。
又、このようなグリルがコンロに組み込まれる場合に、コンロの前面等にグリル用やコンロ用の操作部が複数設けられる場合でも、グリルの扉に設けられた導光部材の放射面が光ることによりグリル運転情報が報知されるので、使用者にとっては、放射面が光ることにより報知される情報がグリルに関連するものであることを判別し易く、グリル運転情報が使用者にとって認識し易い。
【０００９】
ところで、引出部には被加熱物を載置自在な焼き網が備えられ、通常、引出部は、焼き網等の洗浄のために、グリル庫から取り外し自在に設けられるものである。
本発明では、引出部には導光部材を設け、発光手段及び発光制御手段等の電気部品は、グリル本体に設けて引出部には設ける必要がないので、このように引出部がグリル庫から取り外し自在に設けられる場合でも、本発明を適用することができる。
しかも、引出部には電気部品が設けられていないので、引出部の洗浄も可能である。
従って、グリル運転情報を使用者に認識し易いように報知し得るグリルを提供することができる。
【００１０】
第２特徴構成は、上記第１特徴構成に加えて、
前記取手が、細長状に構成され、
その細長状の取手が、その長手方向を横向きにした姿勢で、前記扉にその横幅方向の全長又は略全長にわたるように備えられ、
前記導光部材が、前記取手の横幅方向の略全長にわたって前記放射面を露出させた形態で、前記取手に一体的に組み付けられ、
前記入光部が、前記導光部材の長手方向の両端に振り分けて一対備えられ、
前記発光手段が、前記一対の入光部に対応して一対設けられている点にある。
【００１１】
即ち、細長状の取手が、扉の横幅方向の全長又は略全長にわたるように備えられ、導光部材が、取手の横幅方向の略全長にわたって放射面を露出させた形態で、取手に一体的に組み付けられているので、取手の横幅方向の略全長にわたる細長い放射面が光ることによりグリル運転情報が報知されることになり、使用者はグリル運転情報をより一層認識し易い。
しかも、入光部が導光部材の長手方向の両端に振り分けて一対備えられると共に、発光手段が一対の入光部に対応して一対設けられていて、細長状の導光部材にその長手方向の両端から光を入射させて細長状の放射面から放射させるので、細長状の放射面を全面にわたって極力均等に光らせることができる。
従って、取手の横幅方向の略全長にわたる細長状の放射面が均等に光ってグリル運転情報が報知されるので、グリル運転情報を使用者に一層認識し易いように報知することができる。
【００１２】
第３特徴構成は、上記第１又は第２特徴構成に加えて、
前記引出部に載置されている被加熱物を加熱する加熱手段の作動を制御する加熱制御手段が、設けられ、
その加熱制御手段が、前記加熱手段による被加熱物の加熱を終了すべきタイミングになると前記加熱手段の加熱作動を停止する自動モードを実行可能に構成され、
前記加熱制御手段に前記自動モードの実行を指令する指令手段が設けられ、
前記発光手段が、発光色を互いに異なる第１発光色と第２発光色とに切り換え自在に構成され、
前記発光制御手段が、前記指令手段により前記自動モードが指令されている状態において、前記加熱制御手段が前記加熱手段の加熱作動を開始する前では、前記発光手段を前記第１発光色で発光させ、前記加熱制御手段が前記加熱手段の加熱作動を開始した後では、前記発光手段を前記第２発光色で発光させるように構成されている点にある。
【００１３】
即ち、指令手段により自動モードを指令すると、導光部材の放射面が第１発光色で光り、加熱制御手段により加熱手段が加熱作動されて自動モードが実行されると、その実行中は、導光部材の放射面が第２発光色で光る。
従って、自動モードが指令されていること及びその自動モードが実行中であることの２種類のグリル運転情報を、使用者に認識し易いように報知することができる。
【００１４】
第４特徴構成は、上記第３特徴構成に加えて、
前記加熱手段による被加熱物の加熱における異常である加熱異常が発生したことを検知する加熱異常検知手段が設けられ、
前記発光制御手段が、前記加熱異常検知手段により加熱異常が検知されることなく前記自動モードが終了したときは、前記発光手段を前記第１発光色で点滅させ、前記自動モードの実行中に前記加熱異常検知手段により加熱異常が検知されたときは、前記発光手段を前記第２発光色で点滅させるように構成されている点にある。
【００１５】
即ち、自動モードが正常に終了すると、導光部材の放射面が第１発光色で点滅し、自動モードの実行中に加熱異常が発生すると、導光部材の放射面が第２発光色で点滅する。
従って、自動モードが正常に終了したこと及びその自動モードの実行中に加熱異常が発生したことの２種類のグリル運転情報を、使用者に認識し易いように報知することができる。
【００１６】
第５特徴構成は、上記第１〜第４特徴構成のいずれか１つに加えて、
前記引出部が前記収納位置に位置しているか否かを検知する扉開閉検知手段が設けられ、
前記発光制御手段が、前記扉開閉検知手段により前記引出部が前記収納位置に位置していないことが検知されると、前記発光手段を消灯させるように構成されている点にある。
【００１７】
即ち、引出部をグリル庫内に押し込んで収納位置に位置させると、扉開閉検知手段により引出部が収納位置に位置していることが検知される。そして、そのように扉開閉検知手段により引出部が収納位置に位置していることが検知される状態で、放射面が光っているときに、引出部を引き出すと、扉開閉検知手段により引出部が収納位置に位置していないことが検知され、それに伴って発光手段が消灯されるので、放射面が光らなくなる。
従って、引出部が収納位置に適正に位置していないことを示すグリル運転情報を、使用者に認識し易いように報知することができる。
【図面の簡単な説明】
【００１８】
【図１】グリルを備えたガスコンロの斜視図
【図２】トッププレートを省略し、引出部を引き出した状態でのガスコンロの斜視図
【図３】ガスコンロの前方側要部の斜視図
【図４】ガスコンロの前方側要部の斜視図
【図５】扉の右側面図及び縦断右側面図
【図６】扉、取手の分解斜視図
【図７】グリル用導光部材とグリル用発光部の配置形態を示す前方上側からの斜視図
【図８】グリル用導光部材とグリル用発光部の配置形態を示す後方上側からの斜視図
【図９】グリル用発光部を示すガスコンロの前方側要部の切り欠き斜視図
【図１０】扉開閉検出スイッチを示すガスコンロの後方側要部の切り欠き平面図
【図１１】ガスコンロの制御構成を示すブロック図
【発明を実施するための形態】
【００１９】
以下、図面に基づいて、本発明の実施の形態をガスコンロのグリルに適用した場合について説明する。
図１は、本発明に係るグリルＧを備えたガスコンロを示し、このガスコンロは、コンロ本体１の上部に３つのコンロバーナ２が配置され、コンロ本体１の内部に、加熱手段としてのグリルバーナ３（図２参照）を備えるグリルＧが配置されて、ビルトインタイプのガスコンロに構成されている。
コンロ本体１の上部後方側に、グリルバーナ３の燃焼排ガスを排気するためのグリル排気口４が設けられ、コンロ本体１の上部は、トッププレート５にて覆われ、このトッププレート５の上部に、３つのコンロバーナ２の夫々に対応して、加熱用容器（鍋など）を載置する五徳６が載置支持されるように構成されている。
設置状態の図示は省略するが、コンロ本体１の内部には、マイクロコンピュータを用いてガスコンロの運転を制御するための各種制御を実行するように構成されたコンロコントローラＣ（図１１参照）が設けられている。
【００２０】
図１及び図２に示すように、コンロ本体１の前面部の略中央は、コンロ本体１に内蔵したグリルＧにおけるグリル庫７の前部開口部８にて開口されている。尚、図２は、トッププレート５を省略した状態でのガスコンロの斜視図である。
コンロ本体１の前面部におけるグリル庫７の前部開口部８の左側には、グリルバーナ３を操作するためのグリル操作部３０が設けられている。
図１〜図４に示すように、コンロ本体１の前面部におけるグリル庫７の前部開口部８の右側には、コンロバーナ２の点火、 消火や火力の調整等の操作を行うコンロ操作つまみ４０が３つのコンロバーナ２夫々に対応して設けられ、コンロバーナ２の火力を表示する火力表示部９が３つのコンロ操作つまみ４０夫々に対応して設けられている。更に、各コンロバーナ２を操作するためのコンロ操作部５０、及び、電源スイッチ１０も設けられている。
【００２１】
図１〜図４に示すように、グリル用操作部３０及びコンロ操作部５０は、押し操作する毎に、前倒れ状態となってパネルスイッチにて構成される操作面が露呈する開き状態と操作面が収納される閉じ状態とに切り換え自在に構成されている。
図１に示すように、グリル操作部３０には、グリルバーナ３の点火及び消火を行うグリル運転スイッチ３１、グリルバーナ３の火力の調整を行う火力調整スイッチ３２、自動焼きモードを設定する自動焼きモードスイッチ３３、及び、タイマ運転モードを設定するタイマ運転スイッチ３４等が設けられている。
自動焼きモードは、グリル運転スイッチ３１によるグリルバーナ３の点火後、所定の燃焼条件でグリルバーナ３を燃焼させ、被調理物の焼き調理の終了が予測されるタイミングで自動的にグリルバーナ３を消火するモードである。
タイマ運転スイッチ３４は、タイマ時間を設定自在であり、タイマ運転モードは、グリル運転スイッチ３１によるグリルバーナ３の点火後、火力調整スイッチ３２にて設定された火力でグリルバーナ３を燃焼させ、タイマ運転スイッチ３４にて設定されたタイマ時間が経過すると自動的にグリルバーナ３を消火するモードである。
【００２２】
つまり、自動焼きモード及びタイマ運転モード夫々は、グリルバーナ３による被加熱物の加熱を終了すべきタイミングになるとグリルバーナ３を消火する（加熱手段の加熱作動を停止する）自動モードに相当する。
そして、図１１に示すように、３つのコンロバーナ２及びグリルバーナ３の作動を制御する加熱制御手段としての燃焼制御手段Ｃ２が、コンロコントローラＣを用いて構成され、この燃焼制御手段Ｃ２が自動焼きモードやタイマ運転モードの自動モードを実行可能に構成され、自動焼きモードスイッチ３３及びタイマ運転スイッチ３４夫々は、燃焼制御手段Ｃ２に自動モードの実行を指令する指令手段として機能する。
【００２３】
図１、図２及び図９に示すように、コンロ操作部５０には、各コンロバーナ２に対応して、自動調理メニューを設定する自動調理メニュー設定パネル５１が設けられている。
自動調理メニュー設定パネル５１では、タイマ運転モード、炊飯モード、湯沸しモード等の複数の自動調理モードから任意のものを択一的に設定自在である。
炊飯モードや湯沸しモードは、コンロ操作つまみ４０によるコンロバーナ２の点火後、所定の燃焼条件でコンロバーナ２を燃焼させ、炊飯や湯沸しの完了が予測されるタイミングで自動的にコンロバーナ２を消火するモードである。
自動調理メニュー設定パネル５１はタイマ時間を設定自在であり、タイマ運転モードは、コンロ操作つまみ４０によるコンロバーナ２の点火後、そのコンロ操作つまみ４０にて設定された火力でコンロバーナ２を燃焼させ、自動調理メニュー設定パネル５１にて設定されたタイマ時間が経過すると自動的にコンロバーナ２を消火するモードである。
【００２４】
図３、図４及び図９に示すように、各コンロ操作つまみ４０は、自動復帰型の押し操作式に構成されると共に、所定の角度範囲で回動自在に構成されている。そして、コンロ操作つまみ４０を引っ込み状態から押し操作して出っ張り状態にすることにより、コンロバーナ２の点火が指令され、コンロ操作つまみ４０を出っ張り状態から押し操作して引っ込み状態にすることにより、コンロバーナ２の消火が指令され、更に、出っ張り状態のコンロ操作つまみ４０を回動操作することにより、コンロバーナ２の火力が設定される構成となっている。
つまり、設置状態の図示を省略するが、ガスコンロの前面パネルの内部には、コンロ操作つまみ４０の押し込み操作によりオンオフが切り換えられて点火指令及び消火指令を指令する押し操作式の点消火スイッチ４４（図１１参照）、及び、コンロ操作つまみ４０の回動操作に伴ってパルス信号を発生させて火力を指令するロータリーエンコーダ４５（図１１参照）が設けられている。
【００２５】
図３、図４及び図９に示すように、各コンロ操作つまみ４０は、筒状のつまみ本体４１に、筒状のコンロ用導光部材４２を内嵌すると共に、そのコンロ用導光部材４２の前端開口部を蓋体４３にて閉塞して構成されている。
コンロ用導光部材４２は、図示を省略するが、その後端面が、前後方向（コンロ用導光部材４２の軸心方向）の後方側から光を入射可能な入光部となり、そのリング状の前端面が、光を放射する放射面４２ｒとなって、入光部に入射した光を導いて放射面４２ｒから放射するように構成されている。
【００２６】
図示を省略するが、各コンロ操作つまみ４０の後方側には、発光に指向性を有するコンロ用発光部１１（図１１参照）が、コンロ用導光部材４２の入光部に光を入射させるべく発光方向を前方向きにして設けられている。このコンロ用発光部１１は、白色発光体１１ｗと橙色発光体１１ｏとにより構成されて、発光色を白色と橙色とに切り換え自在に構成されている。ちなみに、白色発光体１１ｗ及び橙色発光体１１ｏは、夫々、ＬＥＤランプにて構成されている。
そして、白色発光体１１ｗを発光させると、コンロ用導光部材４２の放射面４２ｒにより、コンロ操作つまみ４０の外周がリング状で白色に光り（図４参照）、橙色発光体１１ｏを発光させると、コンロ用導光部材４２の放射面４２ｒにより、コンロ操作つまみ４０の外周がリング状で橙色に光る（図４参照）。
【００２７】
以下、グリルＧについて説明を加える。
図１〜図４に示すように、このグリルＧは、グリル庫７と、そのグリル庫７の内部を加熱するグリルバーナ３と、取手６０を有する扉７０を有して被加熱物（図示省略）を載置自在な引出部Ｈとを備えて構成されている。そして、その引出部Ｈが、グリル庫７の前部開口部８を扉７０にて閉じる状態でそのグリル庫７内に収納される収納位置（図１及び図４参照）とグリル庫７の前方に引き出された引出位置（図２参照）とに出退移動自在で、且つ、グリル庫７から取り外し自在に設けられている。ちなみに、引出位置とは、引出部Ｈがその大部分がグリル庫７から引き出された状態でコンロ本体１に支持される状態である。尚、図３は、引出部Ｈが引出位置の手前の位置までグリル庫７から引き出された状態を示す。
又、グリル庫７は、前部が前部開口部８にて開口された直方体形状の箱状に構成されている。
ちなみに、図示を省略するが、引出部Ｈには焼き網が載置自在に備えられ、被加熱物はその焼き網に載置されることにより、引出部Ｈに載置されることになる。
【００２８】
グリルバーナ３は、図２及び図１１に示すように、グリル庫７内の上部に位置して、焼き網に載置された被加熱物を上側から加熱する上側バーナ３ａと、グリル庫７内の下部両側方に離れて位置して（設置状態の図示は省略する）、焼き網に載置された被加熱物を下側両側方から加熱する一対の下側バーナ３ｂ（図１１参照）とを備えて構成してある。
【００２９】
図２に示すように、引出部Ｈは、グリル庫７内の左右両側の下部に設けられた一対の案内レール（図示省略）にてガスコンロ本体１の前後方向に移動案内される一対のアーム部材１４を備え、その一対のアーム部材１４の前端に扉７０が立ち姿勢で取り付けられて構成されている。一対のアーム部材１４には、汁受皿１５が載置自在に構成され、更に、その汁受皿１５に焼き網（図示省略）が載置自在に構成されている。尚、設置状態の図示を省略するが、焼き網は、図２に示される汁受皿１５上に載置されることになる。
そして、引出部Ｈが左右一対の案内レールの案内にて収納位置と引出位置とに出退移動自在な構成とされている。又、引出部Ｈを引出位置において持ち上げて更に引き出すと、引出部Ｈを一対の案内レールから取り外すことができ、逆の操作で引出部Ｈを一対の案内レールに装着することができる構成とされている。
【００３０】
図３〜図６に示すように、本発明では、扉７０に、外部から光を入射可能な入光部１６ｉと、その入光部１６ｉから入射した光を放射する放射面１６ｒとを備えるグリル用導光部材１６が設けられている。
そして、入光部１６ｉが、引出部Ｈが収納位置に位置する状態で、前部開口部８の内面部に近接し、且つ、引出部Ｈの出退移動方向（前後方向に相当する）に交差する方向から光が入射可能なように、導光部材１６に備えられている。
又、放射面１６ｒが、前方側から視認可能なように、導光部材１６に備えられている。
ちなみに、入光部１６ｉは、グリル用導光部材１６における前面視での周部の一部、即ち、前面視において、例えば、右向きの側面、左向きの側面、上面及び下面等に備えられる。
又、図７〜図９にも示すように、引出部Ｈが収納位置に位置する状態で入光部１６ｉに光を入射可能なように、発光手段としてのグリル用発光部１７が前部開口部８に設けられている。
そして、そのグリル用発光部１７の作動を制御する発光制御手段Ｃ１（図１１参照）が、グリル庫７を備えたコンロ本体１（グリル本体に相当する）に設けられている。つまり、この実施形態では、図１１に示すように、発光制御手段Ｃ１は、グリル用発光部１７の作動に加えて、コンロ用発光部１１の作動も制御するように、コンロコントローラＣを用いて構成されている。そして、グリルＧがガスコンロに備えられているので、コンロ本体１がグリル本体に相当する。
【００３１】
尚、図３は、グリル用導光部材１６の放射面１６ｒが光っていない状態を示し、図４は、グリル用導光部材１６の放射面１６ｒが光っている状態を示す。
又、図５の（ａ）は、扉７０の右側面図であり、（ｂ）は、扉７０の横幅方向略中央での縦断右側面図である。
又、図７は、グリル用導光部材１６とグリル用発光部１７との配置形態を示す前方上側から見た斜視図であり、図８は、グリル用導光部材１６とグリル用発光部１７との配置形態を示す後方上側から見た斜視図である。
【００３２】
次に、扉７０について説明を加える。
図３〜図６に示すように、扉７０は、前部開口部８を閉じる扉本体７１と、その扉本体７１の前面の上方側に装着されるガラス板７２と、その扉本体７１の前面の下方側に装着される扉化粧板７３とを備えて構成されている。
扉本体７１の上方側には、横長の窓７１ｗが形成され、ガラス板７２には、扉本体７１の窓７１ｗに合わせて、横長状の透明部分が備えられている。
又、扉化粧板７３には、後述するグリル用導光部材１６を挿通させるためのスリット７３ｓが水平方向に沿わせて形成されている。
【００３３】
次に、取手６０及びグリル用導光部材１６について説明を加える。
図３〜図６に示すように、グリル用導光部材１６は、全体的には、取手６０の横幅方向全長にわたる細長状に構成されている。
具体的には、図７及び図８にも示すように、グリル用導光部材１６は、頂点を対向させて横幅方向に並ぶ一対の四角錐状部１６ｗと、その一対の四角錐状部１６ｗから板面が水平方向に沿う状態で前方に張り出す細長板状の板状放射部１６ｐとを有する形状に、透光性を有する材料（例えば、ポリカーボネイト等の樹脂材料）にて成形されている。
【００３４】
グリル用導光部材１６の板状放射部１６ｐは、平面視の形状が弧状の縁部を前向きにした概ね弓形状であり、その前面が上向きの傾斜状（換言すれば、斜め上前方向き）に形成されて、斜め上前方向きの放射面１６ｒに構成されている。
グリル用導光部材１６の一対の四角錐状部１６ｗ夫々は、前後方向に沿う横断面形状が矩形状であり、その矩形状の底面がグリル用導光部材１６の横幅方向に直交する横向き状に構成され、その横向きの底面（グリル用導光部材１６の右向きの側面、左向きの側面に相当する）を入光部１６ｉとして機能させるように構成されている。
【００３５】
図３〜図６に示すように、取手６０は細長状に構成されて、その細長状の取手６０が、長手方向を横向きにした姿勢で、扉７０にその横幅方向の全長にわたるように備えられている。
この取手６０は、扉７０の横幅方向全長にわたる細長状に構成されて、扉本体７１と扉化粧板７３との間に配設されるカバー体６１と、扉化粧板７３の前方に配設される取手体６２とを備えて構成されている。
カバー体６１には、グリル用導光部材１６の一対の四角錐状部１６ｗを嵌め込み可能なように前面に開口する一対の四角錐状凹部６１ｄ（図６参照）が、夫々の扉７０の横幅方向の端部を開口させた状態で形成されている。このカバー体６１は、遮光性を有する材料（例えば、樹脂や金属）にて、一対の四角錐状凹部６１ｄの内面が光の反射が可能な反射面となるように形成されている。
取手体６２は、平面視の形状が弧状の縁部を前向きにした概ね弓形状であり、その取手体６２には、前後方向に貫通して、グリル用導光部材１６の板状放射部１６ｐを挿通可能なスリット６２ｓが形成されている。このスリット６２ｓの前方の開口は、取手体６２の上面の前方側の部分に弧状の縁部の略全長に沿って形成されている。この取手体６２も、遮光性を有する材料にて、スリット６２ｓの内面が反射面となるように形成されている。
【００３６】
そして、カバー体６１を扉本体７１の前面に配設し、グリル用導光部材１６を、その一対の四角錐状部１６ｗをカバー体６１の一対の四角錐状凹部６１ｄに嵌め込んだ状態でカバー体６１の前方に装着し、続いて、扉化粧板７３を、そのスリット７３ｓにグリル用導光部材１６の板状放射部１６ｐを挿通させた状態でカバー体６１の前方に配設し、更に、取手体６２を、そのスリット６２ｓにグリル用導光部材１６の板状放射部１６ｐを挿通させた状態で扉化粧板７３の前方に配設した状態で、カバー体６１、グリル用導光部材１６、扉化粧板７３及び取手体６２を一体的に組み付けて、図示しないボルト等により扉本体７１に固定することにより、扉７０に取手６０が取り付けられると共に、その取手６０にグリル用導光部材１６が一体的に組み付けられる。
【００３７】
このようにグリル用導光部材１６が取手６０に組み付けられた状態では、グリル用導光部材１６の各入光部１６ｉ（各四角錐状部１６ｗの底面に相当する）は、各カバー体６１の四角錐状凹部６１ｄの横外向き開口によって、取手６０の横側部から露出する状態となり、グリル用導光部材１６の長手方向に沿う方向（即ち、前後方向に直交する方向）から光の入射が可能になっている。
【００３８】
図３〜図５に示すように、このようにグリル用導光部材１６が取手６０に一体的に組み付けられた状態では、グリル用導光部材１６の放射面１６ｒが、取手６０の上面の前端部において、その前端縁の略全長にわたって沿う弧状にて斜め上前方向きに露出されることになる。
そして、グリル用導光部材１６の各四角錐状部１６ｗの底面の入光部１６ｉに入射した光は、各四角錐状部１６ｗの内部で散乱し且つカバー体６１の各四角錐状凹部６１ｄの内面で反射しながら各四角錐状部１６ｗの頂点に向かって進むと共に、板状放射部１６ｐの内部で散乱し且つ取手体６２のスリット６２ｓの内面で反射しながら板状放射部１６ｐの先端に向けて進むことになるので、一対の入光部１６ｉから入射した光を長尺弧状の放射面１６ｒの全面から均等に放射させることができ、図４に示すように、長尺弧状の放射面１６ｒを全面にわたって均等に光らせることができる。
【００３９】
図２〜図４、図６及び図９に示すように、グリル用発光部１７は、グリル庫７の前部開口部８における左右の内面を形成する一対の開口側板１８夫々に、引出部Ｈが収納位置に位置する状態でグリル用導光部材１６の各入光部１６ｉに対向するように取り付けられている。
図６〜図９に示すように、各グリル用発光部１７は、発光に指向性を有する白色発光体１７ｗと橙色発光体１７ｏとにより構成されて、発光色を白色（第１発光色に相当する）と橙色（第２発光色に相当する）とに切り換え自在に構成されている。ちなみに、白色発光体１７ｗ及び橙色発光体１７ｏは、夫々、ＬＥＤランプにて構成されている。
各グリル用発光部１７の白色発光体１７ｗ及び橙色発光体１７ｏ夫々は、その発光方向をグリル庫７の前部開口部８の内側向きの水平方向に向けて設けられている。
【００４０】
そして、上述のように、扉７０に取手６０が取り付けられると共に、その取手６０にグリル用導光部材１６が一体的に組み付けられることにより、細長状の取手６０が、長手方向を横向きにした姿勢で、扉７０にその横幅方向の全長又は略全長にわたるように備えられ、グリル用導光部材１６が、取手６０の横幅方向の略全長にわたって放射面１６ｒを露出させた形態で、取手６０に一体的に組み付けられることになる。尚、この実施形態では、放射面１６ｒを露出させる向きが、斜め上前方向きに設定されている。
又、入光部１６ｉが、グリル用導光部材１６の長手方向の両端に振り分けて一対備えられ、グリル用発光部１７が、一対の入光部１６ｉに対応して一対設けられていることになる。
【００４１】
次に、図１１に基づいて、３つのコンロバーナ２及びグリルバーナ３へのガス供給構成について説明する。
元ガス供給路１９から４系統の分岐路１９ｂが分岐されて、３つのコンロバーナ２及びグリルバーナ３夫々に接続され、元ガス供給路１９には、元電磁弁２０が設けられ、各分岐路１９ｂには、ステッピングモータ（図示省略）の駆動によって燃料ガスの流量を調整して加熱量を調整するための流量制御弁２１が備えられている。グリルバーナ３への分岐路１９ｂは、２系統に分岐されて、上側バーナ３ａと下側バーナ３ｂ夫々に接続されている。
【００４２】
図１１に示すように、３つのコンロバーナ２夫々の近傍には、点火プラグ２２及び着火状態を検出する熱電対２３が設けられ、グリルバーナ３の上側バーナ３ａ及び下側バーナ３ｂ夫々の近傍にも、点火プラグ２２及び熱電対２３が設けられている。
更に、３つのコンロバーナ２の夫々には、上下方向に伸縮自在な伸縮機構２４が、伸び方向に復帰付勢された状態で下端側が固定されて設けられている。
この伸縮機構２４は、五徳６に載置される加熱用容器の底部が当接するのに伴って押し下げられ、加熱用容器が外されると上方に復帰するように構成されている。
そして、各伸縮機構２４に対して、加熱用容器が五徳６に載置されて伸縮機構２４が押し下げられるのに伴ってオン操作され、五徳６上に載置された加熱用容器が外されて伸縮機構２４が上方に復帰するのに伴ってオフ操作されるように、容器検出スイッチ２５が設けられている。
【００４３】
各伸縮機構２４の上端部内には、加熱用容器の温度を検出する容器温度センサ２６が設けられ、五徳６上に載置された加熱用容器の底部が伸縮機構２４の上端に当接した状態で、この容器温度センサ２６により加熱用容器の温度が検出されるように構成されている。又、設置場所の図示は省略するが、グリル部Ｇには、グリル庫７内の温度を検出するグリル温度センサ２９が設けられている。
【００４４】
更に、図１０に示すように、グリルＧには、引出部Ｈが収納位置に位置しているか否かを検知する扉開閉検知手段としての扉開閉検出スイッチ２７が設けられている。
この扉開閉検出スイッチ２７は、平面視で、グリル庫７の後方における右側方に設けられている。又、引出部Ｈの右側のアーム部材１４の後端（引出部Ｈの後部の右角部に相当する位置）には、引出部Ｈの出退移動に伴って扉開閉検出スイッチ２７をオンオフ操作する押圧部材２８が設けられている。
つまり、引出部Ｈが引き出し状態から後方に移動されて収納位置に位置されるのに伴って、押圧部材２８により扉開閉検出スイッチ２７の操作レバー２７ｒを押圧して扉開閉検出スイッチ２７をオンし（図１０の（ａ））、引出部Ｈが収納位置から前方に引き出されるのに伴って、押圧部材２８が扉開閉検出スイッチ２７の操作レバー２７ｒから離れて、扉開閉検出スイッチ２７をオフにする（図１０の（ｂ））ように構成されている。
【００４５】
次に、図１１に基づいて、このガスコンロの制御構成について説明する。
尚、本願はグリルＧに関する発明であるので、３つのコンロバーナ２及びコンロ用発光部１１に関する制御の図示や説明は、主要なものに止め、グリルバーナ３及びグリル用発光部１７に関する制御について、詳細に説明する。尚、電源スイッチ１０がオンされることにより各種の制御の実行が可能となるので、この電源スイッチ１０の操作については、記載を省略する。
【００４６】
先ず、燃焼制御手段Ｃ２におけるグリルバーナ３の制御について、説明する。
燃焼制御手段Ｃ２は、自動焼きモード及びタイマ運転モードのいずれも設定されることなく、グリル運転スイッチ３１によりグリルＧの運転が指令されると、グリルバーナ３を点火する点火処理を実行する。この点火処理では、元電磁弁２０を開弁すると共に、グリルバーナ３の火力が予め設定された点火時火力となるように流量制御弁２１を制御する状態で、点火プラグ２２に駆動信号を与えて点火作動させ、熱電対２３により点火が確認されると点火プラグ２２の駆動を停止する。
点火処理の終了後は、グリルバーナ３の火力が火力調整スイッチ３２にて設定された火力になるように流量制御弁２１を制御し、グリル運転スイッチ３１によりグリルＧの停止が指令されると、元電磁弁２０及び流量制御弁２１を閉弁してグリルバーナ３を消火する。
【００４７】
燃焼制御手段Ｃ２は、タイマ運転スイッチ３４によりタイマ運転モードが指令された状態で、グリル運転スイッチ３１によりグリルＧの運転が指令されると、上述のように点火処理を実行した後、グリルバーナ３の火力が火力調整スイッチ３２にて設定された火力になるように流量制御弁２１を制御し、タイマ運転スイッチ３４にて設定されたタイマ時間が経過すると、元電磁弁２０及び流量制御弁２１を閉弁してグリルバーナ３を消火する。
燃焼制御手段Ｃ２は、自動焼きモードスイッチ３３により自動焼きモードが指令された状態で、グリル運転スイッチ３１によりグリルＧの運転が指令されると、上述のように点火処理を実行した後、予め設定された燃焼条件でグリルバーナ３を燃焼させるべく流量制御弁２１を制御し、被調理物の焼き調理の終了が予測されるタイミングになると、元電磁弁２０及び流量制御弁２１を閉弁してグリルバーナ３を消火する。
【００４８】
又、燃焼制御手段Ｃ２は、自動焼きモード及びタイマ運転モードのいずれも設定されていない場合、タイマ運転スイッチ３４によりタイマ運転モードが設定されている場合、並びに、自動焼きモードスイッチ３３により自動焼きモードが設定されている場合のいずれの場合でも、熱電対２３によりグリルバーナ３の消火が検出されると、あるいは、グリル温度センサ２９の検出温度が過熱防止用設定温度以上になってグリルＧの過熱が検出されると、元電磁弁２０及び流量制御弁２１を閉弁する。
【００４９】
つまり、グリルバーナ３が立ち消えする状態や、グリル庫７内が過熱防止用設定温度以上に加熱される状態は、加熱手段としてのグリルバーナ３による被加熱物の加熱における異常である。
従って、熱電対２３及びグリル温度センサ２９は、グリルバーナ３による被加熱物の加熱において加熱異常が発生したことを検知する加熱異常検知手段として機能する。
【００５０】
次に、発光制御手段Ｃ１におけるグリル用発光部１７の制御について、説明する。
発光制御手段Ｃ１は、グリル運転スイッチ３１によりグリルＧの運転が指令されていない状態で、扉開閉検出スイッチ２７により引出部Ｈが収納位置に位置している状態が検出されると、白色発光体１７ｗを発光させる。
発光制御手段Ｃ１は、このように扉開閉検出スイッチ２７により引出部Ｈが収納位置に位置している状態が検出されることに基づいて白色発光体１７ｗを発光させると、タイマ運転スイッチ３４によりタイマ運転モードが設定されたり、自動焼きモードスイッチ３３により自動焼きモードが設定されても、この白色発光体１７ｗの発光状態を維持する。
【００５１】
続いて、発光制御手段Ｃ１は、自動焼きモード及びタイマ運転モードのいずれも設定されていない場合、タイマ運転スイッチ３４によりタイマ運転モードが設定されている場合、並びに、自動焼きモードスイッチ３３により自動焼きモードが設定されている場合のいずれの場合でも、グリル運転スイッチ３１によりグリルＧの運転が指令されて、点火処理が実行された後、熱電対２３により点火が確認されると、白色発光体１７ｗを消灯して、橙色発光体１７ｏを発光させる。
【００５２】
そして、発光制御手段Ｃ１は、グリル運転スイッチ３１によりグリルＧの停止が指令されてグリルバーナ３が消火されるのに伴って、熱電対２３によりグリルバーナ３の消火が確認されると、橙色発光体１７ｏを消灯して、白色発光体１７ｗを発光させる。
又、発光制御手段Ｃ１は、タイマ運転モードの実行中に、タイマ運転スイッチ３４にて設定されたタイマ時間が経過してグリルバーナ３が消火されるのに伴って、熱電対２３によりグリルバーナ３の消火が確認されると、橙色発光体１７ｏを消灯して、白色発光体１７ｗを点滅させる。
又、発光制御手段Ｃ１は、自動焼きモードの実行中に、焼き調理の終了が予測されるタイミングになってグリルバーナ３が消火されるのに伴って、熱電対２３によりグリルバーナ３の消火が確認されると、橙色発光体１７ｏを消灯して、白色発光体１７ｗを点滅させる。
【００５３】
又、発光制御手段Ｃ１は、自動焼きモード及びタイマ運転モードのいずれも設定されていない場合、タイマ運転スイッチ３４によりタイマ運転モードが設定されている場合、並びに、自動焼きモードスイッチ３３により自動焼きモードが設定されている場合のいずれの場合でも、熱電対２３によりグリルバーナ３の消火が検出される、あるいは、グリル温度センサ２９の検出温度が過熱防止用設定温度以上になるのに伴って、橙色発光体１７ｏを点滅させる。
【００５４】
つまり、発光制御手段Ｃ１が、自動焼きモードスイッチ３３やタイマ運転スイッチ３４（指令手段に相当する）により自動焼きモードやタイマ運転モード（自動モードに相当する）が指令されている状態において、燃焼加熱制御手段Ｃ２がグリルバーナ３の加熱作動を開始する前では、グリル発光部１７を白色（第１発光色に相当する）で発光させ、燃焼制御手段Ｃ２がグリルバーナ３の加熱作動を開始した後では、グリル発光部１７を橙色（第２発光色に相当する）で発光させるように構成されていることになる。
【００５５】
又、発光制御手段Ｃ１が、熱電対２３やグリル温度センサ２９（いずれも加熱異常検知手段に相当する）により加熱異常が検知されることなく自動焼きモードやタイマ運転モードが終了したときは、グリル用発光部１７を白色（第１発光色に相当する）で点滅させ、自動焼きモードやタイマ運転モードの実行中に熱電対２３やグリル温度センサ２９により加熱異常が検知されたときは、グリル用発光部１７を橙色（第２発光色に相当する）で点滅させるように構成されていることになる。
【００５６】
更に、燃焼制御手段Ｃ２は、上述のように白色発光体１７ｗ及び橙色発光体１７ｏの作動を制御して、白色発光体１７ｗ及び橙色発光体１７ｏのいずれかを点灯又は点滅させている状態で、扉開閉検出スイッチ２７がオフして引出部Ｈが収納位置に位置していない状態が検出されると、点灯または点滅させている白色発光体１７ｗ又は橙色発光体１７ｏを消灯する。
つまり、発光制御手段Ｃ２が、扉開閉検知スイッチ２７により引出部Ｈが収納位置に位置していないことが検知されると、グリル発光部１７を消灯させるように構成されていることになる。
【００５７】
次に、使用者によるグリル操作部３０の操作や引出部Ｈの出退操作に伴うグリル用導光部材１６の放射面１６ｒの発光状態について、説明する。尚、下記の説明において、グリル用導光部材１６の放射面１６ｒが光ったり点滅したりする状態は、図４に示されている。
使用者が引出部Ｈを押し込み操作して引出部Ｈを収納位置に位置させると、扉開閉検出スイッチ２７がオンして白色発光体１７ｗが発光するのに伴って、取手６０に設けられたグリル用導光部材１６の放射面１６ｒが扉７０の横幅方向の略全長にわたって細長く白色に光る。これにより、使用者は、引出部Ｈが適正に収納位置に収納されたことを明確に認識することができる。
尚、グリル用導光部材１６の放射面１６ｒが光ったり点滅したりする形態は、上述のように扉７０の横幅方向の略全長にわたる細長い形態となるが、以下の説明では、グリル用導光部材１６の放射面１６ｒが光ったり点滅したりするときの形態の記載は省略する。
【００５８】
そして、自動焼きモード及びタイマ運転モードのいずれも設定していない場合、タイマ運転スイッチ３４によりタイマ運転モードを設定した場合、並びに、自動焼きモードスイッチ３３により自動焼きモードを設定した場合のいずれの場合でも、使用者は、グリル運転スイッチ３１によりグリルＧの運転を指令すると、グリルバーナ３が点火して橙色発光体１７ｏが発光するのに伴って、取手６０に設けられたグリル用導光部材１６の放射面１６ｒが橙色に光る。これにより、使用者は、グリルバーナ３が燃焼していることを明確に認識することができる。
【００５９】
又、使用者は、グリル運転スイッチ３１によりグリルＧの停止を指令すると、グリルバーナ３が消火して橙色発光体１７ｏが消灯すると共に白色発光体１７ｗが発光するのに伴って、橙色に光っていたグリル用導光部材１６の放射面１６ｒが白色に光る。これにより、使用者は、正常にグリルバーナ３が消火したことを明確に認識することができる。
又、タイマ運転モードの実行中にタイマ時間が経過してタイマ運転モードが正常に終了すると、又は、自動焼きモードの実行中に焼き調理の終了が予測されるタイミングになって自動焼きモードが正常に終了すると、グリルバーナ３が消火して橙色発光体１７ｏが消灯すると共に白色発光体１７ｗが点滅するのに伴って、橙色に光っていたグリル用導光部材１６の放射面１６ｒが白色で点滅する。これにより、使用者は、タイマ運転モード又は自動焼きモードが正常に終了したことを明確に認識することができる。
【００６０】
又、自動焼きモード及びタイマ運転モードのいずれも設定していない場合、タイマ運転スイッチ３４によりタイマ運転モードを設定している場合、並びに、自動焼きモードスイッチ３３により自動焼きモードを設定している場合のいずれの場合でも、グリルバーナ３が燃焼しているときに、グリルバーナ３が立ち消えしたり、グリル庫７内の温度が異常に高くなってグリルバーナ３が消火されたりして、発光していた橙色発光体１７ｏが点滅するのに伴って、橙色に光っていたグリル用導光部材１６の放射面１６ｒが橙色で点滅する。これにより、使用者は、グリルＧの運転中に異常が起こってグリルバーナ３が消火したことを明確に認識することができる。
【００６１】
更に、引出部Ｈが収納位置に位置していないと、取手６０の放射面１６ｒが光りも点滅もしないので、使用者は引出部Ｈが適正位置に収納されていないことを明確に認識することができる。
又、取手６０の放射面１６ｒが白色又は橙色のいずれかで光っている又は点滅しているときに、引出部Ｈを引き出すと、取手６０の放射面１６ｒの発光や点滅が停止するので、使用者は引出部Ｈを引き出したことを明確に認識することができる。
【００６２】
次に、燃焼制御手段Ｃ２における３つのコンロバーナ２の制御について、簡単に説明する。尚、３つのコンロバーナ２夫々の制御構成は同様であるので、以下では、１個のコンロバーナ２を対象にして説明する。
燃焼制御手段Ｃ２は、点消火スイッチ４４がオフ状態からオン状態に切り換えられて点火指令が指令されると、コンロバーナ２を点火する点火処理を実行する。この点火処理では、元電磁弁２０を開弁すると共に、コンロバーナ２の火力が点火時火力となるように流量制御弁２１を制御する状態で、点火プラグ２２に駆動信号を与えて点火作動させ、熱電対２３により点火が確認されると点火プラグ２２の駆動を停止する。
【００６３】
燃焼制御手段Ｃ２は、点火処理の後は、自動調理メニュー設定パネル５１により自動調理メニューが設定されていない場合は、ロータリーエンコーダ４５により指令される火力になるように流量制御弁２１を制御し、点消火スイッチ４４がオン状態からオフ状態に切り換えられて消火指令が指令されると、元電磁弁２０及び流量制御弁２１を閉弁してコンロバーナ２を消火する。
又、燃焼制御手段Ｃ２は、自動調理メニュー設定パネル５１により自動調理メニューが設定されている場合は、点火処理の後、設定された自動メニューを実行し、その自動メニューを終了するタイミングになると、元電磁弁２０及び流量制御弁２１を閉弁してコンロバーナ２を消火する。
【００６４】
又、燃焼制御手段Ｃ２は、コンロバーナ２の燃焼中に、熱電対２３によりコンロバーナ２の消火が検出されると、あるいは、容器温度センサ２６の検出温度が過熱防止用設定温度以上になって被加熱物の過熱が検出されると、元電磁弁２０及び流量制御弁２１を閉弁する。
【００６５】
次に、発光制御手段Ｃ１におけるコンロ用発光部１１の制御について、説明する。
発光制御手段Ｃ１は、点消火スイッチ４４により点火が指令されていない状態で、五徳６上に加熱用容器が載置されて、容器検出スイッチ２５がオンすると、白色発光体１１ｗを発光させ、そのように白色発光体１１ｗを発光させている状態で、容器検出スイッチ２５がオフすると、白色発光体１１ｗを消灯する。
つまり、使用者が加熱用容器を五徳６上に載置すると、コンロ操作つまみ４０に設けられたコンロ用導光部材４２の放射面４２ｒがコンロ操作つまみ４０の外周に沿うリング状で白色に光り、加熱用容器を持ち上げると光らなくなるので、使用者は、加熱用容器を五徳６上に適正に載置しているか否かを明確に認識することができる。尚、コンロ用導光部材４２の放射面４２ｒが光ったり点滅したりする形態は、上述のようにコンロ操作つまみ４０の外周に沿うリング状の形態となるが、以下の説明では、コンロ用導光部材４２の放射面４２ｒが光ったり点滅したりするときの形態の記載は省略する。
【００６６】
。
発光制御手段Ｃ１は、容器検出スイッチ２５がオンすることに基づいて白色発光体１１ｗを発光させている状態で、自動調理メニュー設定パネル５１により自動調理メニューが設定されても、この白色発光体１１ｗの発光状態を維持する。つまり、コンロ操作つまみ４０に設けられたコンロ用導光部材４２の放射面４２ｒが白色に光る状態が続く。
続いて、点消火スイッチ４４により点火が指令されて、点火処理が実行された後、熱電対２３により点火が確認されると、自動調理メニュー設定パネル５１により自動調理メニューが設定されているか否かにかかわらず、白色発光体１１ｗを消灯して、橙色発光体１１ｏを発光させる。
つまり、使用者が引っ込み状態のコンロ操作つまみ４０を押して出っ張り状態にすると、コンロバーナ２が点火すれば、白色に光っていたコンロ用導光部材４２の放射面４２ｒが橙色に光るので、使用者は、コンロバーナ２が燃焼していることを明確に認識することができる。
【００６７】
そして、燃焼制御手段Ｃ２は、点消火スイッチ４４によりコンロバーナ２の消火がされるのに伴って、熱電対２３によりコンロバーナ２の消火が確認されると、橙色発光体１１ｏを消灯して、白色発光体１１ｗを発光させる。
つまり、使用者が出っ張り状態のコンロ操作つまみ４０を押して引っ込み状態にすると、橙色に光っていたコンロ用導光部材４２の放射面４２ｒが白色に光るので、使用者は、コンロバーナ２が消火したのを明確に認識することができる。
又、燃焼制御手段Ｃ２は、自動調理メニューの実行中に、自動メニューを終了するタイミングになるのに伴って、熱電対２３によりコンロバーナ２の消火が確認されると、橙色発光体１１ｏを消灯して、白色発光体１１ｗを点滅させる。
つまり、橙色に光っていたコンロ用導光部材４２の放射面４２ｒが白色で点滅するので、使用者は、自動調理メニューが終了したのを明確に認識することができる。
【００６８】
燃焼制御手段Ｃ２は、自動調理メニュー設定パネル５１により自動調理メニューが設定されているか否かにかかわらず、コンロバーナ２の燃焼中に、熱電対２３によりコンロバーナ２の消火が検出される、あるいは、容器温度センサ２６の検出温度が過熱防止用設定温度以上になると、橙色発光体１１ｏを点滅させる。
つまり、橙色に光っていたコンロ用導光部材４２の放射面４２ｒが橙色で点滅するので、使用者は、コンロバーナ２が非常消火されたことを明確に認識することができる。
【００６９】
〔別実施形態〕
次に別実施形態を説明する。
（イ）  扉７０に対するグリル用導光部材１６の設置形態は、上記の実施形態において説明した形態、即ち、扉７０の取手６０に一体的に組み付ける形態に限定されるものではない。
例えば、扉７０の前面における取手６０以外の箇所に設けても良い。
又、グリル用導光部材１６の設置個数は、上記の実施形態の如き１個に限定されるものではなく、複数個設けても良い。グリル用導光部材１６を複数個設ける場合は、各グリル用導光部材１６の入光部１６ｉに対応して、グリル用発光部１７を設けることになる。
【００７０】
（ロ）  グリル用導光部材１６の放射面１６ｒの形状は、上記の実施形態の如き細長形状に限定されるものではなく、例えば、魚等、グリルの印象付けが可能な形を図柄化した形状や四角枠状の形状でも良い。この場合、入光部１６ｉは、放射面１６ｒを略全面にわたって極力均等に光らせることができるように、放射面１６ｒの形状に応じて複数個所に設け、グリル用発光部１７も、複数の入光部１６ｉ夫々に対応して設けることになる。
【００７１】
（ハ）  グリル用導光部材１６に備える放射面１６ｒの向きは、上記の実施形態において例示した斜め上前方向きに限定されるものではなく、例えば、正面前向きでも良い。
又、グリル用導光部材１６に、正面前向きの前面と垂直上向きの上面とを備えて、その前面と上面の両面を放射面１６ｒとするように構成しても良い。
【００７２】
（ニ）  グリル用導光部材１６の放射面１６ｒをシボ加工等により梨地状に加工すると、光を乱反射させて、放射面１６ｒをより一層均等に光らせることができる。
【００７３】
（ホ）  上記の実施形態では、グリル用発光部１７の発光色を白色と橙色との２色で切り換え自在に構成したが、グリル用発光部１７の発光色は、１色のみでも良く、３色以上で切り換え自在に構成しても良い。
【００７４】
（ヘ）  グリル用発光部１７を点滅させる場合、点滅パターンを複数種設定して、報知する情報を異ならせるように構成しても良い。
【００７５】
（ト）  上記の実施形態においては、本発明をガスコンロに内蔵されたグリルＧに適用する場合について例示したが、本発明は、グリルＧのみを備えたものにも適用することができる。
又、ハロゲンランプ、電気抵抗線を内蔵したシーズヒータ、又は、電磁誘導加熱（通常、「ＩＨ」と呼ばれる）を行う磁界発生コイル等の電気式加熱手段を備えたコンロに内蔵されたグリルＧにも適用することができる。
この場合、グリル庫７内を加熱する加熱手段としては、上記の実施形態において例示したグリルバーナ３に代えて、シーズヒータ等の電気式加熱手段を設けることになる。
【産業上の利用可能性】
【００７６】
以上説明したように、グリル運転情報を使用者に認識し易いように報知し得るグリルを提供することができる。
【符号の説明】
【００７７】
３      グリルバーナ（加熱手段）
７      グリル庫
８      前部開口部
１６    グリル用導光部材（導光部材）
１６ｉ  入光部
１６ｒ  放射面
１７    グリル用発光部（発光手段）
２３    熱電対（加熱異常検知手段）
２７    扉開閉検出スイッチ（扉開閉検知手段）
２９    グリル温度センサ（加熱異常検知手段）
３３    自動焼きモードスイッチ（指令手段）
３４    タイマ運転スイッチ（指令手段）
６０    取手
７０    扉
Ｃ１    発光制御手段
Ｃ２    燃焼制御手段（加熱制御手段）
Ｇ      グリル
Ｈ      引出部
【図１】
2012215327.tif 000003
【図２】
2012215327.tif 000004
【図３】
2012215327.tif 000005
【図４】
2012215327.tif 000006
【図５】
2012215327.tif 000007
【図６】
2012215327.tif 000008
【図７】
2012215327.tif 000009
【図８】
2012215327.tif 000010
【図９】
2012215327.tif 000011
【図１０】
2012215327.tif 000012
【図１１】
2012215327.tif 000013